(57)【要約】【課題】  上レールに引戸が吊設されて間口を開閉する引戸装置であって、外観を損なうことなく、しかも安く製造することが出来る不燃性の引戸装置の提供。【解決手段】  引戸パネル５はペーパーコア６を芯材としてその両面には木目模様を形成した不燃性シート板７，７を貼着し、引戸１が装着される概略門形枠体は木質材からなり、間口の一方側に起立する前方縦桟９、間口の反対側に起立する中方立１０、引戸１の戸尻側に起立する後方縦桟１２、及びこれら起立する桟の上端に掛架した上桟１３、さらに上桟１３の下側であって間口の前方縦桟９と中方立１０に跨って水平に掛架した見切桟２０で構成している。そして上桟下面には点検パネル１５の上縁１７が嵌る溝を形成し、そして上記各桟の表面には木目模様を形成した不燃性シート板７，７・・を貼り合わせている。【選択図】    図１
2007032132.tif 000002
【特許請求の範囲】
【請求項１】
上レールに引戸が吊設されて間口を開閉する引戸装置において、引戸パネルはペーパーコアを芯材としてその両面には木目模様を形成した不燃性シート板を貼着し、引戸が装着される概略門形枠体は木質材からなり、間口の一方側に起立する前方縦桟、間口の反対側に起立する中方立、引戸の戸尻側に起立する後方縦桟、及びこれら起立する桟の上端に掛架した上桟、さらに上桟の下側であって間口の前方縦桟と中方立に跨って水平に掛架した見切桟で構成し、そして上桟下面には点検パネルの上縁が嵌る溝を形成し、そして上記各桟の表面には木目模様を形成した不燃性シート板を貼り合わせたことを特徴とする不燃性引戸装置。
【請求項２】
上記後方縦桟の表面には不燃性シート板を貼着しない請求項１記載の不燃性引戸装置。
【発明の詳細な説明】
【技術分野】
【０００１】
本発明は不燃性シート板を引戸パネル表面及び木製枠体の表面に貼着した不燃性引戸装置に関するものである。
【背景技術】
【０００２】
部屋の出入口と成る間口には開閉ドアや引戸が装着されるが、該間口には門形の枠体が取付けられている。図５は間口に門形枠体(イ)を取付けし、引戸(ロ)が装着されている具体例であり、該引戸(ロ)は上レールに吊設されてスライドすることが出来る。同図は引戸(ロ)が閉じている場合であるが、門形枠体(イ)に隣接して戸袋が設けられ、引戸(ロ)を開く際には該戸袋に収納される。
【０００３】
門形枠体(イ)は両縦桟(ハ)、(ホ)と上桟(ニ)が枠組されたものであり、この門形枠体(イ)の上桟(ニ)の下側には点検パネル(ヘ)が設けられ、上記引戸(ロ)が吊設される上レールやダンパーなどをカバーしている。図６は前記図５のＡ−Ａ断面拡大図であり、引戸(ロ)の先端は一方側の縦桟(ホ)に当り、他方の縦桟(ハ)、(ハ)は戸袋(ト)の入口に設けられている。
【０００４】
ところで、上記門形枠体(イ)は間仕切装置の一部として構成され、一般には金属製の部材が使用されている。しかし、高齢者を対象とした施設などでは、木製の引戸装置が望まれ、木質本来の温かみやその意匠が好まれる傾向にある。しかし、逆に木製の引戸装置にした場合、火災が発生した際の火の回りが速くて多くの被害者を出す虞がある。そこで、不燃木質材で構成することが求められる。同じく、引戸の場合も芯材と成るペーパーコアの両面に表面材を貼着して構成しているが、火災に対しての抵抗はない。
【０００５】
特開平６−１７３５４０号に係る「木製防火ドア」は、木製であることによる重量感や温もり感を生かしながら、しかも防火性能を発揮し、炎が当っても反りが生じない構造としている。そこで、難燃処理された木材層間に不燃材マットを介して不燃接着剤で接着複層化すると共に複数箇所で全体をビス止めした内層と木質外装材とからなり、表面に塗装を施している。
【０００６】
特開２００５−１１９０３８号に係る「準不燃木質ボード」は、複数層から成る木質ボードの表面となる第１層を、少なくとも木材を粉砕した木質チップと接着剤と難燃剤とで構成し、難燃剤を第１層の重量に対して１０〜５０重量％添加することで、木質ボードとして必要な耐火性・難燃性を確保し、この第１層に積層される第２層を、難燃剤を添加せず木質チップと接着剤とで構成することで、難燃剤による強化低下の影響を受けることのない木質ボードである。
【０００７】
特開２００４−１０６３８７号に係る「準不燃木質ボードとその製造」は、小径丸太を切削したストランドに、ポリエチレングリコール水溶液を含有する熱可塑性接着剤及びポリリン酸アンモニアを含有する難燃剤を混合した混合物を塗布して、板状に成型熱圧したものである。
【０００８】
このように木質を主体とした不燃材は色々あるが、製造コストが高騰してしまう。そして、これら不燃材はその表面意匠が悪くなり、該不燃材を用いた引戸装置の外観は決して好ましくない。
【特許文献１】特開平６−１７３５４０号に係る「木製防火ドア
【特許文献２】特開２００５−１１９０３８号に係る「準不燃木質ボード」
【特許文献３】特開２００４−１０６３８７号に係る「準不燃木質ボードとその製造」
【発明の開示】
【発明が解決しようとする課題】
【０００９】
このように、従来の不燃材には上記のごとき問題がある。本発明が解決しようとする課題はこれら問題点であり、引戸装置の外観を損なうことなく、しかも安く製造することが出来る不燃性の引戸装置を提供する。
【課題を解決するための手段】
【００１０】
本発明に係る引戸装置は概略門形枠体に引戸を装着して構成し、この概略門形枠体及び引戸パネルに不燃性を備えた構造と成っている。引戸パネルは芯材としてペーアーコアが用いられ、このペーパーコアの両面には不燃性シート板が貼着される。そして、概略門形枠体は木質で構成し、その表面には不燃性シート板が貼着される。ここで、引戸装置は引戸が収納される戸袋を備えたタイプと該戸袋を備えないタイプがあり、概略門形枠体の形態は両タイプに応じて多少の違いは存在する。
【００１１】
概略門形枠体は上桟と戸先側の前方縦桟、戸尻側の後方縦桟、両縦桟の中間に起立する中方立、及び前方縦桟と中方立との間には見切桟を水平に掛架した構造と成っている。これら各桟のうちで後方縦桟を除いて不燃性シート板が貼着された不燃構造と成っている。勿論、全ての桟を不燃性とすることもある。
【発明の効果】
【００１２】
本発明に係る引戸装置を構成する引戸パネル及び概略門形枠体は不燃性構造と成っている為に、火災が発生しても延焼を防止することが出来る。しかも、引戸パネル及び概略門形枠体は不燃性シート板を貼着したものである為に、従来の不燃部材を使用した引戸装置に比較してその製造コストは安くなる。一方、本発明が使用する不燃性シート板はその表面が木目調である為に、木製間仕切装置としての外観・意匠が損なわれることはない。
【００１３】
そして、引戸を吊設する上レールなどをカバーする点検パネルは上桟の下面に形成した溝に上縁を嵌入するとともに、下端からＬ形に屈曲した下片をネジ止めして取付けている。従って、点検パネルの取付け状態が表面化しない為に、その外観は良好である。
【実施例】
【００１４】
図１は本発明に係る引戸装置を示す横断面図と縦断面図であり、引戸１は壁パネル１４に取着している基板３にネジ止めされている上レール２に吊設されている。すなわち、引戸１の上端に取付けた吊車が上レール２に載って移動することで、該引戸１はスライドして間口４を開閉する。ここで、引戸１の引戸パネル５はペーパーコア６を芯材６としてその両面に不燃性シート板７，７が貼着されている。そして、引戸パネル５の戸先側にはハンドル８が取付けられて開閉操作を行うことが出来る。
【００１５】
間口４には戸先側の前方縦桟９と中方立１０ａ，１０ｂは所定の間隔をおいて起立し、戸袋１１の後方である後方縦桟１２が起立している。そして、これら各縦桟の上端には上桟１３が水平に掛架している。図２は門形枠体を単独で表しているが、これら各桟は木質材で構成され、その表面には約３ｍｍ厚さの不燃性シート板７が貼着している。ここで、不燃性シート板７としては、例えば大建工業株式会社のダイライト(商標)を用いることが出来、これは無機質材で構成されている為に不燃性を備えている。
【００１６】
上記前方縦桟９は間口４の片側に起立し、所定の間隔をおいた２本の中方立１０ａ，１０ｂは間口４の反対側に起立している。前方縦桟９の背面側両側には壁パネル１４，１４の先端が突き合わされ、同じく中方立１０ａ，１０ｂの背面にも戸袋１１を構成する壁パネル１４，１４の先端が突き合わされる。そして、戸袋１１の後方端には後方縦桟１２が起立している。そこで、引戸１が閉じる時はその戸先は前方縦桟９に当接し、引戸１を開くときには戸袋１１に収納され、後方縦桟１２に取着しているストッパーに戸尻が当接する。
【００１７】
前記図１(ａ)には縦断面を示しているように、間口側上桟３の背面側には壁パネル１４が下方へ延び、この壁パネル１４に上レール２やダンパー装置などが取付けられ、壁パネル１４の下端には見切桟２０が取着されている。そして、正面側には上記上レール２などをカバーすると共に点検の際に開くことが出来るように取付けた点検パネル１５を有している。
【００１８】
点検パネル１５はその上縁１７を上桟１３の下面に形成した溝に嵌められ、下端はＬ形に屈曲し、その下片１８は前方縦桟９と中方立１０ａに固定したブラケット１６，１６にネジ止めされている。従って、該点検パネル１５の取付け構造が表面化しないようになる。点検パネル１５を取外す場合には、下片１８のネジを弛め、上縁１７を上桟１３の溝から離脱させる。
【００１９】
図３は戸袋を備えない引戸装置の横断面図と縦断面図を表しており、引戸１は上桟１３に取着している基台１９にネジ止めされている上レール２に吊設されている。すなわち、引戸１の上端に取付けた吊車が上レール２に載って移動することで、該引戸１はスライドして間口４を開閉する。引戸１の引戸パネル５は前記実施例と同じく、ペーパーコア６を芯材としてその両面に不燃性シート板７，７が貼着されている。そして、引戸パネル５の戸先側にはハンドル８が取付けられて開閉操作を行うことが出来る。
【００２０】
間口４には戸先側の前方縦桟９と中方立１０が起立し、戸袋１１の後方には後方縦桟１２が起立している。そしてこれら各縦桟の上端には上桟１３が掛架している。図４は概略門形枠体を単独で表しているが、これら各桟は木質材で構成され、その表面には約３ｍｍ厚さの不燃性シート板７が貼着している。
【００２１】
上記前方縦桟９は間口４の片側に起立し、中方立１０は間口４の反対側に起立している。前方縦桟９の背面側両側には壁パネル１４，１４の先端が突き合わされ、同じく中方立１０の背面にも壁パネル１４の先端が突き合わされている。そして、引戸１の戸尻側には後方縦桟１２が起立し、引戸１が開いた際には戸尻が当接することが出来る。また、上桟１３の下側であって、前方縦桟９と中方立１０との間には見切桟２０が水平に掛架している。
【図面の簡単な説明】
【００２２】
【図１】本発明に係る引戸装置の断面図。
【図２】引戸装置の門形枠体。
【図３】本発明に係る引戸装置の断面図。
【図４】引戸装置の門形枠体。
【図５】従来の引戸装置の正面図。
【図６】従来の引戸装置の横断面図。
【符号の説明】
【００２３】
１  引戸
２  上レール
３  基板
４  間口
５  引戸パネル
６  ペーパーコア
７  不燃性シート板
８  ハンドル
９  前方縦桟
10  中方立
11  戸袋
12  後方縦桟
13  上桟
14  壁パネル
15  点検パネル
16  ブラケット
17  上縁
18  下片
19  基台
20  見切桟
【図１】
2007032132.tif 000003
【図２】
2007032132.tif 000004
【図３】
2007032132.tif 000005
【図４】
2007032132.tif 000006
【図５】
2007032132.tif 000007
【図６】
2007032132.tif 000008